(57)【要約】【課題】街頭に設置された証明写真等の写真撮影装置で寄付金を受け付けることが可能な寄付受付サーバ等を提供する。【解決手段】寄付受付サーバ３は、写真撮影装置２の表示・操作部２０５に寄付受付画面を表示させて、寄付を受け付け、写真撮影装置２の現金課金部２０１又はＩＣカード・リーダ／ライタ２０３により電子マネーで寄付金を受領し、写真撮影装置２の撮影装置２０４により撮影された画像と寄付先の限定フレーム、メッセージを合成した画像を作成し、写真撮影装置２のプリンタ２０９により印刷させる。メッセージや名前、合成画像は、寄付者の了解を得て寄付先サーバ４に送信する。寄付先と寄付金の情報は記憶部３２に記憶され、所定の期間ごとに集計し、寄付先サーバ４に送信する。【選択図】図１
2014119867.tif 000002
【特許請求の範囲】
【請求項１】
証明写真を撮影印刷する写真撮影装置とネットワークを介して接続された寄付受付サーバであって、
前記写真撮影装置の表示部に寄付受付画面を表示させて寄付を受け付ける受付手段と、
前記写真撮影装置の課金部により寄付金を受領させる課金手段と、
前記写真撮影装置により撮影された画像と寄付を示す画像とを合成する画像作成手段と、
前記受付手段及び前記課金手段により受領した寄付のログを管理するログ管理手段と、
を具備することを特徴とする寄付受付サーバ。
【請求項２】
前記受付手段は、寄付に添えるメッセージを受け付けることを特徴とする請求項１に記載の寄付受付サーバ。
【請求項３】
前記寄付を示す画像は、寄付先のプレミアム画像、前記メッセージ又は受領証の少なくともいずれかを含むことを特徴とする請求項２に記載の寄付受付サーバ。
【請求項４】
前記画像作成手段により合成された画像を、ネットワークを介して接続された寄付先サーバに送信する送信手段を更に具備することを特徴とする請求項１乃至請求項３のいずれかに記載の寄付受付サーバ。
【請求項５】
証明写真を撮影印刷する写真撮影装置とサーバとがネットワークを介して接続された寄付受付システムであって、
前記サーバは、
前記写真撮影装置の表示部に寄付受付画面を表示させて寄付を受け付ける受付手段と、
前記写真撮影装置の課金部により寄付金を受領させる課金手段と、
前記写真撮影装置により撮影された画像と寄付を示す画像とを合成する画像作成手段と、
前記受付手段及び前記課金手段により受領した寄付のログを管理するログ管理手段と、
を具備することを特徴とする寄付受付システム。
【請求項６】
証明写真を撮影印刷する写真撮影装置とネットワークを介して接続されたサーバによる寄付受付方法であって、
証明写真を撮影印刷する写真撮影装置の表示部に寄付受付画面を表示させて寄付を受け付ける受付ステップと、
前記写真撮影装置の課金部により寄付金を受領させる課金ステップと、
前記写真撮影装置により撮影された画像と寄付を示す画像とを合成する画像作成ステップと、
前記受付手段及び前記課金手段により受領した寄付のログを管理するログ管理ステップと、
を含むことを特徴とする寄付受付方法。
【請求項７】
コンピュータを、
証明写真を撮影印刷する写真撮影装置の表示部に寄付受付画面を表示させて寄付を受け付ける受付手段、
前記写真撮影装置の課金部により寄付金を受領させる課金手段、
前記写真撮影装置により撮影された画像と寄付を示す画像とを合成する画像作成手段、
前記受付手段及び前記課金手段により受領した寄付のログを管理するログ管理手段、
として機能させるためのプログラム。
【請求項８】
コンピュータを、
証明写真を撮影印刷する写真撮影装置の表示部に寄付受付画面を表示させて寄付を受け付ける受付手段、
前記写真撮影装置の課金部により寄付金を受領させる課金手段、
前記写真撮影装置により撮影された画像と寄付を示す画像とを合成する画像作成手段、
前記受付手段及び前記課金手段により受領した寄付のログを管理するログ管理手段、
として機能させるためのプログラムが記録された記録媒体。
【発明の詳細な説明】
【技術分野】
【０００１】
本発明は、寄付受付サーバに関するものであり、更に詳しくは、証明写真装置からの寄付を可能にする寄付受付サーバ等に関するものである。
【背景技術】
【０００２】
現在、証明写真等を撮影し、その場で自動的に印刷する証明写真ボックスが駅周辺等に設置され、利用されている。
【０００３】
一方、テレビ等の双方向デジタル機器を利用して、デジタル放送の発信側のサーバにメッセージや募金の応募を可能にするシステムが提案されている（例えば、特許文献１）。
【先行技術文献】
【特許文献】
【０００４】
【特許文献１】特開２００３−２９９０６１号公報
【発明の概要】
【発明が解決しようとする課題】
【０００５】
しかしながら、特許文献１の方法は、テレビ等の双方向デジタル機器を利用する方法であって、出先等で気軽に募金・寄付を行うことはできない。
【０００６】
本発明は、前述した問題点に鑑みてなされたもので、街頭に設置された証明写真等の写真撮影装置で寄付金を受け付けることが可能な寄付受付サーバ等を提供することを目的とする。
【課題を解決するための手段】
【０００７】
前述した目的を達成するために、第１の発明は、証明写真を撮影印刷する写真撮影装置とネットワークを介して接続されたサーバであって、前記写真撮影装置の表示部に寄付受付画面を表示させて寄付を受け付ける受付手段と、前記写真撮影装置の課金部により寄付金を受領させる課金手段と、前記写真撮影装置により撮影された画像と寄付を示す画像とを合成する画像作成手段と、前記受付手段及び前記課金手段により受領した寄付のログを管理するログ管理手段と、を具備することを特徴とする寄付受付サーバである。
【０００８】
第１の発明により、街中に設置された写真撮影装置から寄付を受け付けることが可能になる。また、写真撮影装置で撮影した寄付者の画像と寄付を示す画像を合成して寄付者に提供することが可能になる。
【０００９】
前記受付手段は、寄付に添えるメッセージを受け付けることが好ましい。
また、前記寄付を示す画像は、寄付先のプレミアム画像、前記メッセージ又は受領証の少なくともいずれかを含むことが好ましい。
前記画像作成手段により合成された画像を、ネットワークを介して接続された寄付先サーバに送信する送信手段を更に具備することが好ましい。
【００１０】
これにより、寄付者は、寄付先のプレミアム画像と写真撮影装置により撮影された自身の写真を合成した画像や受領証を得ることが可能になる。
また、メッセージや画像作成手段により合成された画像を寄付先に送信することにより、寄付先では、メッセージや合成された画像をＷｅｂやテレビに掲載することが可能になる。
【００１１】
第２の発明は、証明写真を撮影印刷する写真撮影装置とサーバとがネットワークを介して接続された寄付受付システムであって、前記サーバは、前記写真撮影装置の表示部に寄付受付画面を表示させて寄付を受け付ける受付手段と、前記写真撮影装置の課金部により寄付金を受領させる課金手段と、前記写真撮影装置により撮影された画像と寄付を示す画像とを合成する画像作成手段と、前記受付手段及び前記課金手段により受領した寄付のログを管理するログ管理手段と、具備することを特徴とする寄付受付システムである。
【００１２】
第３の発明は、証明写真を撮影印刷する写真撮影装置とネットワークを介して接続されたサーバによる寄付受付方法であって、証明写真を撮影印刷する写真撮影装置の表示部に寄付受付画面を表示させて寄付を受け付ける受付ステップと、前記写真撮影装置の課金部により寄付金を受領させる課金ステップと、前記写真撮影装置により撮影された画像と寄付を示す画像とを合成する画像作成ステップと、前記受付手段及び前記課金手段により受領した寄付のログを管理するログ管理ステップと、を含むことを特徴とする寄付受付方法である。
【００１３】
第４の発明は、コンピュータを、証明写真を撮影印刷する写真撮影装置の表示部に寄付受付画面を表示させて寄付を受け付ける受付手段と、前記写真撮影装置の課金部により寄付金を受領させる課金手段と、前記写真撮影装置により撮影された画像と寄付を示す画像とを合成する画像作成手段と、前記受付手段及び前記課金手段により受領した寄付のログを管理するログ管理手段、として機能させるためのプログラムである。
【００１４】
第５の発明は、コンピュータを、証明写真を撮影印刷する写真撮影装置の表示部に寄付受付画面を表示させて寄付を受け付ける受付手段と、前記写真撮影装置の課金部により寄付金を受領させる課金手段と、前記写真撮影装置により撮影された画像と寄付を示す画像とを合成する画像作成手段と、前記受付手段及び前記課金手段により受領した寄付のログを管理するログ管理手段、として機能させるためのプログラムが記録された記録媒体である。
【発明の効果】
【００１５】
本発明により、街頭に設置された証明写真等の写真撮影装置で寄付金を受け付けることが可能な寄付受付サーバ等を提供することが可能になる。
【図面の簡単な説明】
【００１６】
【図１】本発明の実施形態に係る寄付受付システム１の構成例を示すブロック図
【図２】写真撮影装置２の構成例を示す図
【図３】写真撮影装置２のハードウエア構成例を示すブロック図
【図４】寄付受付サーバ３、寄付先サーバ４のハードウエア構成例を示すブロック図
【図５】寄付受付システム１の処理の流れを示すフローチャート（１）
【図６】寄付受付システム１の処理の流れを示すフローチャート（２）
【図７】寄付受付システム１のログ処理の流れを示すフローチャート
【図８】写真撮影装置２の表示・操作部２０６の画面例を示す図（１）
【図９】写真撮影装置２の表示・操作部２０６の画面例を示す図（２）
【図１０】写真撮影装置２が提供するイメージデータ例（１）
【図１１】写真撮影装置２が提供するイメージデータ例（２）
【発明を実施するための形態】
【００１７】
以下、添付図面に基づいて、本発明に係る寄付受付システム１等の好適な実施形態について詳細に説明する。尚、以下の説明及び添付図面において、略同一の機能構成を有する構成要素については、同一の符号を付することにより重複説明を省略することにする。
【００１８】
図１は、寄付受付システム１の構成例を示すブロック図である。
寄付受付システム１は、写真撮影装置２、寄付受付サーバ３、寄付先サーバ４がネットワーク６で接続された構成である。例えば、寄付先サーバ４がテレビ局のサーバであると、寄付先サーバ４の情報をテレビ５に放映させることもできる。
【００１９】
写真撮影装置２は、例えば、駅周辺等の街中に設置される証明写真撮影装置である。但し、写真撮影装置２は、証明写真撮影装置に限ることなく、プリクラ機等、写真撮影と印刷が行なえ、ネットワーク６と接続できる装置であればよい。
【００２０】
寄付受付サーバ３は、複数設置されている写真撮影装置２とネットワーク６で接続され、写真撮影装置２を管理するとともに、寄付処理を実行する。
【００２１】
寄付先サーバ４は、写真撮影装置２から寄付可能な寄付先の企業や団体のサーバである。寄付受付サーバ３から寄付内容に関する情報がネットワーク６を介して送信される。
【００２２】
図２は、写真撮影装置２の構成を示す図である。
図２（ａ）は、写真撮影装置２の外観を示す斜視図である。
写真撮影装置２は、例えば、前面２４、後面２３、側面ａ２１ａ、側面ｂ２１ｂ、天井面２２、床面２５を具備するボックス状の形態を採る。側面ａ２１ａ側には出入口部が設けられている。
【００２３】
ボックス内に内壁２０が設けられ、内壁２０に、写真を撮影するための撮影装置や操作画面、料金を投入する口等が設けられる。
ボックス内の後面２３寄りには入室者が座る椅子２８が設けられる。また、側面ａ２１ａ側のボックスの出入口部には撮影中に外部からの光を遮断するため遮光カーテン２７が取り付けられている。
【００２４】
図２（ｂ）は、写真撮影装置２の俯瞰図である。
ボックス内に設けられた内壁２０と前面２４間の空間部は、撮影装置、プリンタ、課金装置、照明装置、制御装置等が収められる収納ボックスになっている。
【００２５】
図２（ｃ）は、内壁２０の構成例を示す平面図である。
内壁２０には、照明（照明ユニット）２０８、撮影装置２０４、現金課金部２０１、ＩＣカード・リーダ／ライタ２０３、入室センサ２０７、表示・操作部２０５、つり銭返却部２０２、写真取り出し口２０６等が設置される。
【００２６】
照明２０８は、ボックス内の照明と、撮影の際のフラッシュである。
撮影装置２０４は、椅子２８に座った入室者を撮影するデジタルカメラ等で構成される。内壁２０の面は撮影窓であり、撮影窓の後部の収納ボックスにデジタルカメラが設置される。
【００２７】
現金課金部２０１は、紙幣投入口２０１ａ、硬化投入口２０１ｂ、返却レバー２０１ｃ等で構成され、内壁２０の現金課金部２０１の後部の収納ボックスには、課金処理を行うコインメックが設けられている。コインメックは現金課金部２０１の下方に設けられたつり銭返却口２０２とつながっており、つり銭等を返却することができる。
【００２８】
ＩＣカード・リーダ／ライタ２０３は、電子マネーによる支払いを可能にするためのＩＣカード読取装置である。
入室センサ２０７は、例えば赤外線センサであり、写真撮影装置２のボックス内への入室者を検出する。
【００２９】
表示・操作部２０５は、タッチパネル機能を備えたディスプレイ装置等で構成される。ディスプレイ装置は、例えば液晶ディスプレイである。
表示・操作部２０５には、写真撮影装置２の機能や説明を表示し、機能選択をタッチパネルにより行う。
この他、操作用のボタン等をディスプレイとは別に設けるようにしてもよい。
【００３０】
写真取り出し口２０６は、撮影された証明写真等を取り出すための取り出し口であり、内壁２０の後部に設けられたプリンタとつながって設けられる。
写真取り出し口２０６は、この他、側面ａ２１ａに設けて、撮影後に写真撮影装置２の出入口部から出てから写真を受け取れるようにしてもよい。
【００３１】
図３は、写真撮影装置２のハードウエア構成例を示すブロック図である。
写真撮影装置２は、本体部２９に、ＩＣカード・リーダ／ライタ２０３、コインメック２０１、照明ユニット２０８、撮影装置２０４、表示・操作部２０５、入室センサ２０７、プリンタ２０９、ネットワーク６が接続された構成を採る。
【００３２】
本体部２９は、制御部２９１、記憶部２９２、Ｉ／Ｏコントローラ２９３、Ｉ／Ｆ２９５、通信制御部２９４等で構成される。
【００３３】
制御部２９１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、ＲＯＭ、記憶部２９２等に格納されるプログラムをＲＡＭ上のワークメモリ領域に呼び出して実行し、接続された各装置を駆動制御する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２９２、ＲＯＭ、記憶媒体等からロードしたプログラム、データ等を一時的に保持するとともに、制御部２９１が各種処理を行うために使用するワークエリアを備える。
【００３４】
記憶部２９２は、ＨＤＤ（ハードディスクドライブ）等であり、制御部２９１が実行するプログラムや、プログラム実行に必要なデータ、ＯＳ（Ｏｐｅｒａｔｉｎｇ  Ｓｙｓｔｅｍ）等が格納される。
【００３５】
Ｉ／Ｏコントローラ２９３は、本体部２９と、照明ユニット２０８、撮影装置２０４、表示・操作部２０５、入室センサ２０７、コインメック（現金課金機）２０１、ＩＣカード・リーダ／ライタ２０３間のやり取りを仲介するインタフェースである。
Ｉ／Ｆ２９５は、本体部２９と、プリンタ２０９間の情報のやり取りを仲介するインタフェースであり、プリント物の出力用画像の画像データやプリンタ制御信号を本体部２９からプリンタ２０９へ送信する。
【００３６】
通信制御部２９４は、ネットワークインタフェースカード、モデム等の通信インタフェースから構成される通信手段であり、ネットワーク６に接続して、外部のサーバ（寄付受付サーバ３、寄付先サーバ４）や外部装置との間で情報の授受を行う。
【００３７】
図４は、寄付受付サーバ３、寄付先サーバ４のハードウエア構成例を示すブロック図である。
寄付受付サーバ３、寄付先サーバ４は、制御部３１、記憶部３２、メディア入出力部３３、通信制御部３４、入力部３５、表示部３６、周辺機器Ｉ／Ｆ部３７等がバス３８を介して接続された構成である。
【００３８】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、ＲＯＭ、記憶部３２等に格納されるプログラムをＲＡＭ上のワークメモリ領域に呼び出して実行し、バス３８を介して接続された各装置を駆動制御し、コンピュータが行う処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部３２、ＲＯＭ、記憶媒体等からロードしたプログラム、データ等を一時的に保持するとともに、制御部３１が各種処理を行うために使用するワークエリアを備える。
【００３９】
記憶部３２は、ＨＤＤ（ハードディスクドライブ）であり、制御部３１が実行するプログラム、プログラム実行に必要なデータ、ＯＳ（Ｏｐｅｒａｔｉｎｇ  Ｓｙｓｔｅｍ）等が格納される。プログラムに関しては、ＯＳに相当する制御プログラムや、アプリケーション・プログラム、ファイル等が格納されている。
これらの各プログラムコードは、制御部３１により必要に応じて読み出されてＲＡＭに移され、ＣＰＵにより各種の手段として実行される。
記憶部３２には、本発明の本実施形態に係る寄付受付システム１のプログラムや各種のデータが格納されており、必要に応じて制御部３１に読み出されて実行される。
【００４０】
メディア入出力部３３は、記録媒体のデータの入出力を行うドライブ装置であり、例えば、フロッピー（登録商標）ディスクドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
通信制御部３４は、通信制御装置、通信ポート等を有し、ネットワーク７を介した通信を媒介する通信インタフェースであり、他のコンピュータ間との通信制御を行う。
【００４１】
入力部３５は、データの入力を行い、例えば、キーボード、マウス等のポインティングデバイス、テンキー等の入力装置を有する。入力部３５を介して、コンピュータに対して、操作指示、動作指示、データ入力等を行うことができる。
表示部３６は、ＣＲＴ（Ｃａｔｈｏｄｅ  Ｒａｙ  Ｔｕｂｅ）モニタ、液晶パネル等のディスプレイ装置、ディスプレイ装置と連携してビデオ機能を実現するための論理回路等（ビデオアダプタ等）を有する。
【００４２】
周辺機器Ｉ／Ｆ部３７は、周辺機器を接続するためのＵＳＢ（Ｕｎｉｖｅｒｓａｌ  Ｓｅｒｉａｌ  Ｂｕｓ）ポート等である。
バス３８は、各装置間の制御信号、データ信号等の授受を媒介する経路である。
【００４３】
図５、図６、図７は、寄付受付システム１の処理の流れを示すフローチャート、図８、図９は、写真撮影装置２の表示・操作部２０５の表示画面例を示す図である。
【００４４】
まず、写真撮影装置２の制御部２９１は、入室センサ２０７により写真撮影装置２への入室の有無を判定する（ステップ１０１）。
入室センサ２０７が写真撮影装置２への入室を検出すると（ステップ１０１）、Ｉ／Ｏコントローラ２９３を介して写真撮影装置２の制御部２９１に入室信号が送られ、制御部２９１は、表示・操作部２０５に機能選択画面を表示させる（ステップ１０２）。
【００４５】
図８（ａ）は、機能選択画面例５１を示す図である。機能選択画面５１には、例えば、本実施形態に係る写真撮影装置２の機能である「証明写真」と「寄付」が選択可能に表示される。
【００４６】
「証明写真」が選択されると（ステップ１０３の「証明写真」）、写真撮影装置２の制御部２９１は、証明写真撮影処理（ステップ１３１）を実行して処理を終了する。
証明写真撮影処理（ステップ１３１）については、公知の技術、例えば、特開２００５−３０１０３７等を使用することができる。
【００４７】
一方、ステップ１０３で「寄付」が選択されると、写真撮影装置２の制御部２９１は、通信制御部２９４及びネットワーク６を介して寄付受付サーバ３にアクセスし、寄付受付サーバ３の制御部３１は、寄付先の選択画面を写真撮影装置２の表示・操作部２０５に表示させる（ステップ１０４）。
【００４８】
図８（ｂ）は、寄付先選択画面例５２を示す図である。寄付先選択画面５２には、寄付先の一覧が選択可能に表示される。
寄付先選択画面５２で寄付先が選択されると、寄付受付サーバ３の制御部３１は、記憶部３２に寄付先を格納する（ステップ１０５）。
【００４９】
次に、寄付受付サーバ３の制御部３１は、入金方法を選択させる画面を写真撮影装置２の表示・操作部２０５に表示させる（ステップ１０６）。
図８（ｃ）は、入金方法選択画面例５３を示す図である。入金方法選択画面５３には、入金方法である「現金」又は「電子マネー」等が選択可能に表示される。
【００５０】
「現金」が選択されると（ステップ１０７の「現金」）、次に、寄付受付サーバ３の制御部３１は、寄付金額を選択させる画面を写真撮影装置２の表示・操作部２０５に表示させる（ステップ１０８）。
図８（ｄ）は、金額選択画面例５４を示す図である。金額選択画面５４には、寄付金額が選択可能に表示される。現金を投入する写真撮影装置２は街頭に設置される装置なので、寄付金額は多くても数千円にすることが望ましい。
【００５１】
ステップ１０８で金額が設定されると、寄付受付サーバ３の制御部３１は、通信制御部３４、ネットワーク６、写真撮影装置２の通信制御部２９４を介して写真撮影装置２のコインメック２０１を動作させる信号を送り、写真撮影装置２の制御部２９１は、コインメック２０１を動作させる。
寄付者が現金を図２（ｃ）の現金課金部２０１に投入すると、コインメック機能により投入金額を検出し、つり銭がある場合にはつり銭返却口２０２につり銭が排出される。
【００５２】
一方、ステップ１０７で「電子マネー」が選択されると、寄付受付サーバ３の制御部３１は、寄付金額を選択させる画面を写真撮影装置２の表示・操作部２０５に表示させる（ステップ１４１）。
図９（ａ）は、金額入力画面例５５を示す図である。金額入力画面５５には、寄付金額が入力可能に表示される。金額を入力するための数値キーを表示するようするとよい。
【００５３】
ステップ１４１で金額が入力されると、寄付受付サーバ３の制御部３１は、通信制御部３４、ネットワーク６、写真撮影装置２の通信制御部２９４を介して写真撮影装置２のＩＣカード・リーダ／ライタ２０３を動作させる信号を送り、写真撮影装置２の制御部２９１は、ＩＣカード・リーダ／ライタ２０３を動作させる。
【００５４】
寄付者がＩＣカードをＩＣカード・リーダ／ライタ２０３にかざすと、ＩＣカード・リーダ／ライタ２０３はＩＣカードの残額を読み取り写真撮影装置２の制御部２９１に送り、ステップ１４１で指定された金額をＩＣカードの残額から差し引いた金額をＩＣカード・リーダ／ライタ２０３に送ってＩＣカードに書き込ませる。以上の処理により、電子マネーによる寄付入金が実行される（ステップ１４２）。
ここで使用するＩＣカードは、プリペイド式の電子マネーＩＣカードであることが望ましい。
【００５５】
ステップ１０９、ステップ１４２において、寄付金額の入金が完了すると、寄付受付サーバ３の制御部３１は、ステップ１０５で記憶部３２に記憶した寄付先と対応づけて寄付金額を記憶部３２に記憶する（ステップ１１０）。
【００５６】
次に、寄付受付サーバ３の制御部３１は、通信制御部３４、ネットワーク６、写真撮影装置２の通信制御部２９４を介して写真撮影装置２の撮影装置２０４を動作させる信号を送り、写真撮影装置２の制御部２９１は、撮影装置２０４を動作させて、画像を撮影する（ステップ１１１）。
【００５７】
次に、寄付受付サーバ３の制御部３１は、寄付金に添付するメッセージの入力画面を写真撮影装置２の表示・操作部２０５に表示させ、寄付者の名前とメッセージを入力させる(ステップ１１２)。
図９（ｂ）は、名前入力画面例５６を示す図である。
名前入力画面５６には、名前入力欄と、入力用のキーが選択可能に表示させる。
また、図９（ｃ）は、メッセージ入力画面例５７を示す図である。
メッセージ入力画面例５７は、メッセージ入力欄と入力用のキーが選択可能に表示させる。
【００５８】
名前及びメッセージ入力が終了すると、寄付受付サーバ３の制御部３１は、記憶部３２に格納されている寄付先を読み出し、寄付先に対応するフレーム画像を記憶部３２にから読み出し、ステップ１１１で撮影した画像と、ステップ１１２で入力された名前及びメッセージを合成したイメージデータを作成し、記憶部３２に記憶する（ステップ１１３）。
【００５９】
寄付先に対応するフレーム画像は、予め記憶部３２に格納しておけばよい。このフレーム画像としてプレミアム感のある限定フレーム画像を用いるとよい。寄付することにより限定フレームを使用した印刷物を寄付者に提供することにより、寄付を募りやすくするという利点がある。
【００６０】
図１０は、イメージデータ例６１を示す図である。
例えば、寄付先を示すロゴや写真を背景に、写真撮影装置２により撮影された寄付者の画像、メッセージと名前が合成されたイメージデータが作成される。
【００６１】
次に、寄付受付サーバ３の制御部３１は、ステップ１１３で作成したイメージデータを印刷するか否かを選択させる選択画面を写真撮影装置２の表示・操作部２０５に表示させ、プリント出力有無を選択させる（ステップ１１４）。
プリント出力する場合には（ステップ１１５の「有」）、寄付受付サーバ３の制御部３１は、通信制御部３４、ネットワーク６、写真撮影装置２の通信制御部２９４を介して写真撮影装置２のプリンタ２０９を動作させる信号を送り、写真撮影装置２の制御部２９１は、プリンタ２０９により、イメージデータ及び寄付金の預かり証を印刷し、印刷した写真を取り出し口２０６に排出する（ステップ１１６）。
【００６２】
図１１は、ステップ１１６で印刷されたイメージデータ例６２を示す図である。
図１０に示したイメージデータ６１に預かり証を加えた画像である。
ステップ１１５でプリント出力「無」が選択された場合にも、預かり証のみを印刷するようにしてもよい。
【００６３】
次に、寄付受付サーバ３の制御部３１は、ステップ１１３で作成されたイメージデータをＷｅｂ上やテレビ等に掲載してもよいか否かを選択させる画面を写真撮影装置２の表示・操作部２０５に表示させる（ステップ１１７）。
掲載可が選択された場合（ステップ１１８の「可」）には、寄付受付サーバ３の制御部３１は、ステップ１１３で作成されたイメージデータを寄付先サーバ４に送信する（ステップ１１９）。
【００６４】
寄付先サーバ４に送信されたイメージデータは、寄付先のホームページに掲載することが可能である。また、寄付先がテレビ局によるチャリティー募金の場合には、番組中でテレビ放映することも可能である。
【００６５】
最後に、記憶部３２に記憶したイメージデータを削除して（ステップ１２０）、写真撮影装置２から寄付を受け付ける処理を終了する。
【００６６】
図７は、寄付受付サーバ３の制御部３１が所定の間隔で実行するログ処理の流れを示すフローチャートである。
まず、寄付受付サーバ３の制御部３１は、所定の日時であるか否かを判定する（ステップ１５１）。
【００６７】
所定の日時の場合（ステップ１５１のＹｅｓ）、寄付受付サーバ３の制御部３１は、寄付受付サーバ３の記憶部３２に記憶されている寄付先および寄付金額を呼び出し、寄付先ごとに金額を集計し、集計結果を当該寄付先の寄付先サーバ４に送信する（ステップ１５２）。
【００６８】
また、寄付受付サーバ３の制御部３１は、写真撮影装置２による寄付の集計結果をＷｅｂ等に掲載するようにしてもよい（ステップ１５３）。
【００６９】
以上の処理により、街頭に設置された写真撮影装置２による寄付処理を実行することが可能になる。
【００７０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００７１】
１………寄付受付システム
２………写真撮影装置
３………寄付受付サーバ
４………寄付先サーバ
５………テレビ
６………ネットワーク
【図１】
2014119867.tif 000003
【図２】
2014119867.tif 000004
【図３】
2014119867.tif 000005
【図４】
2014119867.tif 000006
【図５】
2014119867.tif 000007
【図６】
2014119867.tif 000008
【図７】
2014119867.tif 000009
【図８】
2014119867.tif 000010
【図９】
2014119867.tif 000011
【図１０】
2014119867.tif 000012
【図１１】
2014119867.tif 000013